(57)【要約】【課題】天板の一部を横長の支持ユニットに支持させることにより、天板の支持の安定を図るとともに、構造の簡素化、天板の支持強度の増大、組立て、分解作業の容易化、製造コストの低減を図ることができ、しかもレイアウトを容易に変更できるようにしたワークステーションにおけるテーブルの支持構造を提供する。【解決手段】天板２６の下面に長さの異なる複数の脚杆２２、２２、２５を互いに離間して設け、短寸の脚杆２２を、床上に設けた横長の支持ユニットＡの上面に穿設した嵌合孔１６に嵌合して支持し、かつ長寸の脚杆２５の下端を接床する。【選択図】        図４
2004159714.tif 000002
【特許請求の範囲】
【請求項１】
天板の下面に長さの異なる複数の脚杆を互いに離間して設け、短寸の脚杆を、床上に設けた横長の支持ユニットの上面に穿設した嵌合孔に嵌合して支持し、かつ長寸の脚杆の下端を接床したことを特徴とするワークステーションにおけるテーブルの支持構造。
【請求項２】
支持ユニットの上面に、複数の嵌合孔を長手方向に並べて設け、任意の嵌合孔に短寸の脚杆を嵌合し得るようにした請求項１記載のワークステーションにおけるテーブルの支持構造。
【請求項３】
支持ユニットの上面における両側部に、複数の嵌合孔を長手方向に２列として並べて設け、支持ユニットの両側方に配設した２個のテーブルにおける短寸の脚杆を、各テーブルに近い方の嵌合孔にそれぞれ嵌合した請求項１または２記載のワークステーションにおけるテーブルの支持構造。
【請求項４】
短寸の脚杆の中間部に鍔部材を設け、この鍔部材が支持ユニットの上面に当接するようにした請求項１〜３のいずれかに記載のワークステーションにおけるテーブルの支持構造。
【請求項５】
鍔部材を、短寸の脚杆の長手方向に取付位置調節可能として設けるとともに、長寸の脚杆を、長さ調節可能とした請求項４記載のワークステーションにおけるテーブルの支持構造。
【請求項６】
短寸の脚杆の外周に、複数の係合孔を、脚杆の長手方向に所要の間隔をもって穿設するとともに、互いに向き合わせて合体させることにより、上端部に拡径フランジを備える上下方向を向くスリーブを形成するようにした１対のほぼ半円筒状のスリーブ分割片により、前記脚杆を両側方より挟み、少なくともいずれか一方のスリーブ分割片の内面に、前記係合孔に選択的に係合しうる突部を設け、この突部を所望の係合孔に嵌合させて、両スリーブ分割片を前記脚杆の外周において合体させて形成したスリーブに鍔部材をなす筒体を外嵌し、前記筒体の下部に設けた縮径段部を、嵌合孔に嵌合した請求項１〜５のいずれかに記載のワークステーションにおけるテーブルの支持構造。
【請求項７】
支持ユニットが、嵌合孔が穿設された受支板の下方に、受支板と平行をなすロービームを備え、このロービームに長手方向に取付位置調節可能として装着された支持ブロックに設けた上下方向を向く支持孔に、短寸の脚杆の下端部を嵌合した請求項１〜６のいずれかに記載のワークステーションにおけるテーブルの支持構造。
【請求項８】
支持ユニットに、配線収容用の長手方向を向く中空部を形成し、支持ユニットを配線ダクトとして使用し得るようにした請求項１〜７のいずれかに記載のワークステーション装置。
【発明の詳細な説明】
【０００１】
【発明の属する技術分野】
本発明は、オフィス、工場、学習室等において、用途や目的に応じて、テーブルや仕切り等の構成要素を容易にレイアウト変更できるようにしたワークステーション装置におけるテーブルの支持構造に関する。
【０００２】
【従来の技術】
従来のこの種のものとしては、フロアの所定箇所に配設される位置決め要素と、フロア上を自由に移動させて共同ワークエリアまたは個人ワークエリアを適宜形成するための机を主体とする移動家具とを備え、交流性と自由性とを両立しうるようにしたものがある（例えば特許文献１参照）。
【０００３】
また、配線ダクトとしての機能を有する横杆体の上面に、長手方向を向く溝を形成し、この溝に、スクリーンやパネル等とともに、テーブル用の天板を、長手方向に取付位置調節可能として装着しうるようにしたものがある（例えば特許文献２参照）。
【０００４】
【特許文献１】
特開平９−２９９１６７号公報（図１、図１０〜図１４）
【特許文献２】
特開平１０−２６２７４４号公報（図６、図７、図２０）
【０００５】
【発明が解決しようとする課題】
上述の前者は、各机が互いに独立して自立し、しかもフロア上を自由に移動できるようになっているので、所望のレイアウトで配置した後に、各机が妄りに移動して、レイアウトが崩れるおそれがあり、それを防止するため、各机の相互間を互いに連結するようにすると、その連結作業が煩雑になる。
【０００６】
後者は、パネルや天板を、横杆体の上面に設けた溝に嵌合して支持しているだけであるので、それらの支持が不安定であり、またそれらが横杆体の長手方向に妄りに移動するおそれがあり、さらに、横杆体の同一部所に複数の天板を取付けることができない。
【０００７】
本発明は、従来の技術が有する上記のような問題点に鑑み、天板の一部を横長の支持ユニットに支持させることにより、天板の支持の安定を図るとともに、構造の簡素化、天板の支持強度の増大、組立て、分解作業の容易化、製造コストの低減を図ることができ、しかもレイアウトを容易に変更できるようにしたワークステーションにおけるテーブルの支持構造を提供することを目的としている。
【０００８】
【課題を解決するための手段】
本発明によると、上記課題は次のようにして解決される。
（１）天板の下面に長さの異なる複数の脚杆を互いに離間して設け、短寸の脚杆を、床上に設けた横長の支持ユニットの上面に穿設した嵌合孔に嵌合して支持し、かつ長寸の脚杆の下端を接床する。
【０００９】
（２）上記（１）項において、支持ユニットの上面に、複数の嵌合孔を長手方向に並べて設け、任意の嵌合孔に短寸の脚杆を嵌合し得るようにする。
【００１０】
（３）上記（１）または（２）項において、支持ユニットの上面における両側部に、複数の嵌合孔を長手方向に２列として並べて設け、支持ユニットの両側方に配設した２個のテーブルにおける短寸の脚杆を、各テーブルに近い方の嵌合孔にそれぞれ嵌合する。
【００１１】
（４）上記（１）〜（３）項のいずれかにおいて、短寸の脚杆の中間部に鍔部材を設け、この鍔部材が支持ユニットの上面に当接するようにする。
【００１２】
（５）上記（４）項において、鍔部材を、短寸の脚杆の長手方向に取付位置調節可能として設けるとともに、長寸の脚杆を、長さ調節可能とする。
【００１３】
（６）上記（１）〜（５）項のいずれかにおいて、短寸の脚杆の外周に、複数の係合孔を、脚杆の長手方向に所要の間隔をもって穿設するとともに、互いに向き合わせて合体させることにより、上端部に拡径フランジを備える上下方向を向くスリーブを形成するようにした１対のほぼ半円筒状のスリーブ分割片により、前記脚杆を両側方より挟み、少なくともいずれか一方のスリーブ分割片の内面に、前記係合孔に選択的に係合しうる突部を設け、この突部を所望の係合孔に嵌合させて、両スリーブ分割片を前記脚杆の外周において合体させて形成したスリーブに鍔部材をなす筒体を外嵌し、前記筒体の下部に設けた縮径段部を、嵌合孔に嵌合する。
【００１４】
（７）上記（１）〜（６）項のいずれかにおいて、支持ユニットが、嵌合孔が穿設された受支板の下方に、受支板と平行をなすロービームを備え、このロービームに長手方向に取付位置調節可能として装着された支持ブロックに設けた上下方向を向く支持孔に、短寸の脚杆の下端部を嵌合する。
【００１５】
（８）上記（１）〜（７）項のいずれかにおいて、支持ユニットに、配線収容用の長手方向を向く中空部を形成し、支持ユニットを配線ダクトとして使用し得るようにする。
【００１６】
【発明の実施の形態】
以下、本発明の一実施形態を、添付図面を参照して説明する。
図１は、本発明の一実施形態を備えるワークステーション装置の一例を示す。
【００１７】
この例では、ワークステーション装置は、床上に直列に設けた同一構成の４組の横長の支持ユニット（Ａ１）〜（Ａ４）に、各々がワークステーション構成要素をなす４種類のテーブル（机を含む）（１）（２）（３）（４）、２種類の仕切りパネル（５）（６）、及び２種類の棚（７）（８）（この棚（７）（８）だけは、支持ユニット（Ａ）から分離して示してある）を装着して構成されている。
【００１８】
図２は、１単位の支持ユニット（Ａ）を示し、任意の単位を横方向に直列に連結することにより、所望に応じた長さとすることができるようになっている。
【００１９】
図２に示すように、１単位の支持ユニット（Ａ）は、左右１対の支持脚（９）（９）と、それらの上部の対向面間に支持された左右方向に長い基杆（１０）とを備えている。
【００２０】
図２及び図３に示すように、基杆（１０）は、左右１対の支持脚（９）（９）の上部の対向面に固着された側面視ほぼＹ字状をなす左右１対の支杆（１１）（１１）と、その上端前後部に両端が固着された左右方向を向く前後１対のサイドビーム（１２）（１２）と、側面視上向きコ字状をなし、前後の起立片（１３ａ）（１３ａ）が前後のサイドビーム（１２）（１２）の内側面に固着された左右方向を向くほぼ水平の受支板（１３）と、受支板（１３）の中央部の下方にそれと平行をなすようにして配設され、かつ左右の両端が、両支杆（１１）（１１）の下部中央に固着された梁杆（１４）と、梁杆（１４）の長手方向の適所の上面に設けられ、かつ上端で受支板（１３）を支持する１個または複数個の起立板（１５）とを備えている。
【００２１】
受支板（１３）の中央部と前後の両側部とには、脚杆支持部をなす多数の嵌合孔（１６）が、長手方向に３列として、かつ中央のものより両側部のものの方の間隔を密として、並べて設けられている。
各嵌合孔（１６）は、図５にその１個のみを拡大して示すように、円形の孔の左右の縁に、所要幅の方形の凹入部（１６ａ）を設けた形状としてある。
【００２２】
図６及び図７に示すように、梁杆（１４）は、側面視幅広Ｉ形をなす角筒状のもので、その上面中央には、開口部（１７ａ）より下部（１７ｂ）の前後幅を大とした倒立Ｔ字状の係合溝（１７）が、前後の両側面には、底面を外方に向かって上向き傾斜する傾斜面（１８ａ）とした係合凹溝（１８）が、また下面の前後両側部には、倒立台形状の下向き突条（１９）（１９）が、それぞれ長手方向に連続するように設けられている。前後に対向する下向き突条（１９）（１９）の対向面は、外方に向かって下向き傾斜する傾斜面（１９ａ）としてある。
【００２３】
図１及び図２に示すように、各支持ユニット（Ａ）は、前後のサイドビーム（１２）（１２）に上端部が係止され、各基杆（１０）の前後面を覆うサイドカバー（２０）（２０）と、最も外側の支持脚（９）の外側面に着脱自在に装着され、支持ユニット（Ａ）の左右の端面を覆うエンドカバー（２１）とを備えている。なお、支持ユニット（Ａ）における中間部の支持脚（９）の左右の両側面には、互いに隣接する基杆（１０）の支杆（１１）が固着され、エンドカバー（２１）は設けられていない。
【００２４】
支持ユニット（Ａ）における受支板（１３）の上方の空間と、その下方における前後のサイドカバー（２０）（２０）により囲まれた空間とは、各種の電気機器への給電線、信号線、コネクタケーブル等の配線用の配線ダクトとなっている。
【００２５】
ワークステーション構成要素（１）〜（８）のそれぞれは、受支板（１３）におけるいずれかの嵌合孔（１６）に嵌合しうる少なくとも１本の垂直の係合用脚杆（２２）を備えている。
【００２６】
詳言すると、図１における右端の支持ユニット（Ａ４）の右端のテーブル（１）及び右から２番目の支持ユニット（Ａ３）の左端のテーブル（１）においては、図４に示すように、左右側面に複数の係合孔（２３）が上下方向に並べて設けられ、かつ上端に前後方向を向く水平杆（２４）を有する左右２本の脚杆（２２）（２２）と、この脚杆（２２）より前後方向に離間し、かつ上下方向の長さ調節手段（図示略）を有するとともに、上端に左右方向の張り出し部（２５ａ）（２５ａ）を有する１個の接床用脚杆（２５）とにより、前後方向に長い天板（２６）が支持されている。
【００２７】
左右のテーブル（１）（１）の間において、支持ユニット（Ａ３）（Ａ４）の後側に位置するテーブル（２）においては、上記と同様の係合孔（２３）及び水平杆（２４）が設けられた２本の脚杆（２２）（２２）と、長さ調節手段（図示略）を有する２本の接床用脚杆（２７）とにより、左右方向に長い天板（２８）が支持されている。
【００２８】
左右のテーブル（１）（１）の間において、支持ユニット（Ａ３）（Ａ４）の前側に位置するテーブル（３）においては、上記と同様の係合孔（２３）及び水平杆（２４）が設けられた３本の脚杆（２２）のみにより、前後幅が狭く、かつ左右方向に長い天板（２９）が片持ち支持されている。
【００２９】
左端とその右に並ぶ支持ユニット（Ａ１）（Ａ２）にまたがって設けられているテーブル（４）においては、図１に示すように、上記と同様の係合孔（２３）及び水平杆（２４）が設けられた２本の脚杆（２２）（２２）（図１には図示されていない）と、長さ調節手段（図示略）を有する１本の接床用の脚杆（２７）とにより、平面視三角形または半円弧状の前後の天板（３０）（３０）が支持されている。
【００３０】
嵌合孔（１６）に嵌合する脚杆（２２）は、接床用の脚杆（２５）（２７）より短くしてある。
また、各係合孔（２３）は、上下方向に長い長円形としてある（図６及び図７参照）
【００３１】
図１に示すように、左右方向を向く垂直の仕切りパネル（５）の左右の側端部下面には、上述したのと同様の係合孔（２３）を両側面に設けた垂直の脚杆（２２）が設けられている。
【００３２】
また、前後方向を向く垂直の仕切りパネル（６）の前後の側端部下面には、上述したのと同様の係合孔（２３）を両側面に設けた脚杆（２２）と、それより長寸とした接床用の脚杆（３１）とが、前後に１対として設けられている。
【００３３】
棚（７）の後部下端には、上部に拡径鍔部（３２）を有する左右１対の垂直の脚杆（２２）（２２）が設けられている。
棚（８）の後部下端には、上部が前後方向を向く水平杆（３３）の後端に固着された左右１対の垂直の脚杆（２２）が、また脚杆（２２）より前方において、棚（８）の下端部には、脚杆（２２）より長寸の左右１対の接床用の脚杆（３４）が、それぞれ設けられている。
【００３４】
次に、図４〜図１０を参照して、支持ユニット（Ａ）への各ワークステーション構成要素（１）〜（８）の取付構造について説明する。
【００３５】
図４〜図８に示すように、テーブル（１）（テーブル（２）〜（４）においても同じ）の脚杆（２２）は、互いに向き合わせて合体させることにより、上端部に拡径フランジ（３５）を備える上下方向を向くスリーブ（３６）を形成するようにした１対のほぼ半円筒状のスリーブ分割片（３６ａ）（３６ａ）の内面に、脚杆（２２）の複数の係合孔（２３）に選択的に係合しうるようにした上下２個の突部（３７）（３７）を設け、この突部（３７）（３７）が所望の係合孔（２３）（２３）に嵌合するようにして、両スリーブ分割片（３６ａ）（３６ａ）により脚杆（２２）を両側方より挟み、両スリーブ分割片（３６ａ）（３６ａ）を脚杆（２２）の外周において合体させて形成したスリーブ（３６）を、筒体（３８）に外嵌し、かつ筒体（３８）の下部に設けた縮径段部（３８ａ）を、受支板（１３）に穿設した両側部の列の多数の嵌合孔（１６）の所望のものに嵌合することにより、受支板（１３）上に起立状態で支持されている。
【００３６】
スリーブ（３６）の拡径フランジ（３５）は、その外周部を下方に向かって折り返すことにより、下面の内側に上向きの環状溝（３９）が形成され、この環状溝（３９）に筒体（３８）の上端に設けた上向きの環状突条（４０）を嵌合することにより、両スリーブ分割片（３６ａ）（３６ａ）の相互の位置ずれやがたつきが防止されるようになっている。
【００３７】
図７及び図８に示すように、筒体（３８）における縮径段部（３８ａ）の外周面の左右の両側部には、筒体（３８）の円周方向の幅を嵌合孔（１６）の凹入部（１６ａ）の幅より小とした水平板状の突部（４１）が形成されている。この突部（４１）の上面両側部には、緩やかな外方下向きの傾斜面（４１ａ）（４１ａ）が形成されている。
【００３８】
筒体（３８）における縮径段部（３８ａ）より上方の拡径鍔部（３８ｂ）の下面における突部（４１）と対向する部分には、突部（４１）の上面とほぼ補形をなす凹部（４２）が形成されている。
筒体（３８）における拡径鍔部（３８ｂ）の下面と突部（４１）の上面との間隔は、受支板（１３）の板厚とほぼ同一か、またはそれより若干小としておくのが好ましい。
【００３９】
したがって、両突部（４１）（４１）が凹入部（１６ａ）（１６ａ）を挿通するようにして、筒体（３８）の縮径段部（３８ａ）を、拡径鍔部（３８ｂ）の下端が受支板（１３）の上面に当接するまで嵌合孔（１６）に嵌合し、次いで、筒体（３８）を、各突部（４１）が凹入部（１６ａ）から外れるまで、好ましくは、ほぼ９０°中心軸線回りに回転させることにより、筒体（３８）における拡径鍔部（３８ｂ）の下面と突部（４１）の上面との間隙内に受支板（１３）がきつ目に挟み込まれ、筒体（３８）は受支板（１３）から外れ止めされる。このとき、各突部（４１）が若干弾性撓曲しうるように、筒体（３８）全体、または少なくとも各突部（４１）を、弾性変形可能な合成樹脂材料により形成しておくのがよい。
【００４０】
また、脚杆（２２）は、そのいずれかの係合孔（２３）にスリーブ分割片（３６ａ）（３６ａ）の上下２個の突部（３７）（３７）が嵌合し、そのスリーブ分割片（３６ａ）（３６ａ）によって形成されたスリーブ（３６）の拡径フランジ（３５）が、受支板（１３）に強固に支持され、かつ外れ止めされた筒体（３８）の環状突条（４０）に係合することにより、受支板（１３）上に強固に支持される。
【００４１】
図４〜図７、特に図７に示すように、脚杆（２２）の下部は、受支板（１３）より下方において、支持ブロック（４３）に設けられた支持孔（４４）に挿入されている。
【００４２】
支持ブロック（４３）には、梁杆（１４）における係合凹溝（１８）より下方の部分と下向き突条（１９）とによって形成された、断面形があり形の突条（４５）の上下の面に係合する上下１対の把持片（４６）（４７）が設けられている。
【００４３】
上方の把持片（４６）は、支持ブロック（４３）と一体的に形成され、支持ブロック（４３）の後面より後下方に向かって延出し、梁杆（１４）における係合凹溝（１８）に係合しうるとともに、突条（４５）の上面である傾斜面（１８ａ）と当接する下面（当接部）を、傾斜面（１８ａ）と同方向を向く傾斜面（４６ａ）としてある。
【００４４】
下方の把持片（４７）は、前後方向の中間部の上部が左右方向を向く軸（４８）をもって、支持ブロック（４３）に枢着され、後部に梁杆（１４）における下向き突条（１９）の下面、すなわち、突条（４５）の下面に係合する上向きのフック部（４９）を備え、かつ前部に、フック部（４９）が突条（４５）の下面に係合する図７に実線で示す把持位置に位置しているときは、支持ブロック（４３）の支持孔（４４）と整合して、支持孔（４４）に嵌合された脚杆（２２）の外周面に当接し、図７に想像線で示すように、フック部（４９）が突条（４５）の下面から下方に外れた離脱位置のときは、支持ブロック（４３）の支持孔（４４）内に突入し（このとき支持孔（４４）内に脚杆（２２）が嵌入されていないことが前提となる）、支持孔（４４）内に脚杆（２２）が上方より挿入されることにより、脚杆（２２）の下端により押動されて、把持位置に位置させられるようにした当接部（５０）を備えている。
【００４５】
脚杆（２２）の下端部は、支持孔（４４）内に挿入したときの下方の把持片（４７）の当接部（５０）の押動を円滑にするため、図６に示すような半球状、または先端に向かって漸次小径となるテーパ状とするのが好ましい。
【００４６】
テーブル（１）における左右１対の脚杆（２２）（２２）を、上述のようにして、受支板（１３）と梁杆（１４）との上下２箇所で強固に支持し、かつ脚杆（２５）の長さを、床から各脚杆（２２）の上端までの高さに合わせて調節した後、両脚杆（２２）（２２）の上端に固着した水平杆（２４）（２４）と脚杆（２５）の上端とに、天板（２６）の前後の端部を載置して固定することにより、天板（２６）の後部（または前部）は、支持ユニット（Ａ）に強固に支持され、また天板（２６）の前部（または後部）は、接床する脚杆（２５）により簡易に支持され、支持ユニット（Ａ）に掛かる天板（２６）の荷重は半減させられる。
【００４７】
他のテーブル（２）〜（４）も、同様にして（テーブル（３）は、接床用の脚杆（２５）を用いることなく、３本の脚杆（２２）のみで、天板（２９）を片持ち支持するようにして）、支持ユニット（Ａ）に集中して支持させることができる。
【００４８】
仕切りパネル（６）は、テーブル（１）等の支持と同様に、スリーブ分割片（３６ａ）（３６ａ）と筒体（３８）とを用いて、その脚杆（２２）を受支板（１３）における側部の嵌合孔（１６）に嵌合するとともに、脚杆（２２）の下部を、梁杆（１４）の最適位置に装着した支持ブロック（４３）の支持孔（４４）に嵌合することにより、脚杆（２２）を支持ユニット（Ａ）に強固に支持させ、かつ他方の脚杆（３１）を接床させることにより、荷重を支持ユニット（Ａ）と床とに分散させるようにして、支持ユニット（Ａ）に強固に支持されている。
【００４９】
脚杆（２２）は、受支板（１３）及び支持ブロック（４３）に対して、その中心軸線回りに回転可能であるので、仕切りパネル（６）は、脚杆（２２）を中心として、平面視における向きを自由に変更することができる。
【００５０】
また、図１に示すように、前後１対の仕切りパネル（６）（６）における各脚杆（２２）の前方のものを、受支板（１３）における前列の嵌合孔（１６）に、同じく後方のものを、後列の嵌合孔（１６）に、それぞれ嵌合することにより、支持ユニット（Ａ）における長手方向の同一個所に、前後１対の仕切りパネル（６）（６）を、支持ユニット（Ａ）から前後両方向に向かって延出させて配設することができる。
【００５１】
さらに、受支板（１３）における中央の列の嵌合孔（１６）を利用して、仕切りパネル（５）を、後述するように、支持ユニット（Ａ）の長手方向に向けて支持させることにより、多数の仕切りパネル（５）（６）を、支持ユニット（Ａ）のほぼ同一部位に、平面視Ｌ字状、Ｔ字状、または十字状等に交差するようにして、強固に支持させることができる。
【００５２】
仕切りパネル（５）における両側部の脚杆（２２）は、図６及び図７に示すように、上述したのと同様のスリーブ分割片（３６ａ）（３６ａ）及び筒体（３８）を用いて、受支板（１３）における中央の列の任意の嵌合孔（１６）に嵌合し、かつ下端部を、梁杆（１４）の上面に、着脱自在かつ長手方向に摺動自在に装着した支持ブロック（５１）に設けた支持孔（５２）に嵌合して、上下２箇所で支持ユニット（Ａ）に強固に支持されている。
【００５３】
図９及び図１０に示すように、支持ブロック（５１）は、内面を支持孔（５２）とした筒体（５３）の下端に円形の鍔部（５４）が設けられ、鍔部（５４）の下面中央に、円形の頸部（５５）を介して、底面形をほぼ長円形とした係合板（５６）が連設されたものとしてある。
筒体（５３）の外周面と鍔部（５４）の上面との間には、複数の補強用のリブ（５７）が設けられている。
【００５４】
頸部（５５）の直径と、係合板（５６）の短軸方向の幅とは、梁杆（１４）の上面に形成された係合溝（１７）の開口部（１７ａ）の幅より小とし、係合板（５６）の長軸方向の長さは、係合溝（１７）の開口部（１７ａ）の幅より大で、好ましくは係合溝（１７）の下部（１７ｂ）の幅とほぼ等しくするのがよい。
【００５５】
したがって、支持ブロック（５１）は、脚杆（２２）を嵌合しようとする中央の列の嵌合孔（１６）のほぼ真下の位置において、係合板（５６）の長手方向が梁杆（１４）の長手方向を向くようにして、係合板（５６）を係合溝（１７）の開口部（１７ａ）より下部（１７ｂ）まで嵌合し、次いで、筒体（５３）の中心軸線回りにほぼ９０°回転させて、係合板（５６）の両端部を係合溝（１７）の下部（１７ｂ）の両側部に係合させることにより、梁杆（１４）に簡単に装着することができる。
また、支持ブロック（５１）は、そのままの状態か、または上述と逆の方向に若干回転させて、梁杆（１４）の長手方向に摺動させることにより、支持孔（５２）が所望の嵌合孔（１６）の真下に位置するように、容易に位置調整することができる。
【００５６】
仕切りパネル（５）は、その両側部の脚杆（２２）（２２）を、上述のようにして、上下２箇所で支持ユニット（Ａ）に支持させることにより、特に前後方向に傾倒しないように強固に支持される。
【００５７】
棚（７）は、その脚杆（２２）を、拡径鍔部（３２）が受支板（１３）に当接するまで、前後及び中央のいずれかの列の任意の嵌合孔（１６）に嵌合し、かつ必要に応じて、脚杆（２２）の下端部を、支持ブロック（４３）の支持孔（４４）、または支持ブロック（５１）の支持孔（５２）に嵌合することにより、支持ユニット（Ａ）に簡単に、かつ強固に支持させることができる。
【００５８】
棚（８）は、水平杆（３３）が支持ユニット（Ａ）のサイドビーム（１２）に当接するようにして、その脚杆（２２）を、棚（７）におけるのと同様にして、支持ユニット（Ａ）の任意の嵌合孔（１６）に嵌合して支持させ、かつ脚杆（３４）を接床させることにより、荷重の大部分を脚杆（３４）とサイドビーム（１２）とにより支承させ、しかも脚杆（２２）により、支持ユニット（Ａ）に対して移動不能として連結することができる。
【００５９】
なお、仕切りパネル（５）（６）や、テーブル（１）〜（４）のうち、高さ調節が必要ないものについては、各脚杆（２２）に係合孔（２３）を設ける代わりに、棚（７）における脚杆（２２）に設けたのと同様の拡径鍔部（３２）を設け、その下端を受支板（１３）の上面に当接させるようにしてもよい。
【００６０】
また、本発明のワークステーション構成要素は、上述のもののみに限定されるものではなく、形状や構造及び機能の異なる各種のものを組み込むことができる。
【００６１】
さらに、本発明は、上記実施形態のみに限定されるものではなく、幾多の変形した態様で実施することができる。
【００６２】
【発明の効果】
各請求項に記載の発明は、次のような効果を奏することができる。
請求項１：短寸の脚杆を、支持ユニットの上面に穿設された嵌合孔に嵌合するだけで、テーブルを支持ユニットに簡単に組付けることができ、組付け後には、天板は支持ユニットに強固に安定して支持される。また、テーブルの構造を簡素化でき、安価に製造することができるとともに、短寸の脚杆を嵌合孔から抜き出すだけで、テーブルを支持ユニットから容易に離脱することができ、付け替えやレイアウト変更を容易にできる。
【００６３】
請求項２：短寸の脚杆を嵌合する嵌合孔を選択することにより、支持ユニットに対するテーブルの取付位置を必要に応じて変更することができ、レイアウト変更を容易に行なうことができる。
【００６４】
請求項３：支持ユニットを間に挾んで、２個のテーブルを背中合せとして支持ユニットの両側方に配設するこどできるとともに、その両テーブルを支持ユニットの両側方に配設することがでるとともに、その両テーブルを支持ユニットにより、同時に強固に支持することができる。
【００６５】
請求項４：短寸の脚杆に掛る荷重を、鍔部材を介して、支持ユニットの上面で安定して受支することができる。
【００６６】
請求項５：短寸の脚杆に対する鍔部材の取付位置と、長寸の脚杆の長さとを、合わせて調節することにより、天板の床面からの高さを任意に調節することができる。
【００６７】
請求項６：一方のスリーブ分割片の突部を、脚杆の所望の係合孔に係合させて、１対のスリーブ分割片により脚杆を両側方から挟み、その外側に筒体を外嵌した状態で、筒体の下部の縮径段部を、嵌合孔に嵌合するだけで、脚杆を支持ユニット上に、容易に、起立状態で安定して支持させることができる。
また、１対のスリーブ分割片は、脚杆を挟んで合体させた状態で筒体に嵌合されているので、嵌合孔の深さが浅くても、各スリーブ分割片が外れることはない。
さらに、筒体の縮径段部を、嵌合孔から抜き出して、筒体を両スリーブ分割片から外し、スリーブ分割片の突部を、他の係合孔に係合し直して、再度上記と同様にして、筒体の縮径段部を嵌合孔に嵌合することにより、脚杆の高さを、段階的ではあるが自由に変えることができる。
【００６８】
請求項７：短寸の脚杆は、受支板と支持ブロックとにより、上下２箇所で支持され、支持がより安定し、特に短寸の脚杆を傾倒させようとする外力に対して強固となる。
【００６９】
請求項８：給電線や信号線等の配線を、支持ユニットの中空部内を挿通させることにより、外部に露呈することなくテーブルに導くことができる。
【図面の簡単な説明】
【図１】本発明の一実施形態を備えるワークステーション装置の外観斜視図である。
【図２】同じく、支持ユニットの分解斜視図である。
【図３】同じく、支持ユニットの基杆の分解斜視図である。
【図４】同じく、支持ユニットに各種のテーブルを装着する状況を示す分解斜視図である。
【図５】同じく、要部の拡大分解斜視図である。
【図６】同じく、要部の縦断側面図である。
【図７】同じく、要部の拡大縦断側面図である。
【図８】同じく、筒体の正面図である。
【図９】同じく、支持ブロックの正面図である。
【図１０】同じく、支持ブロックの底面図である。
【符号の説明】
（Ａ）（Ａ１）〜（Ａ４）支持ユニット
（１）（２）（３）（４）テーブル（ワークステーション構成要素）
（５）（６）仕切りパネル（ワークステーション構成要素）
（７）（８）棚（ワークステーション構成要素）
（９）支持脚
（１０）基杆
（１１）支杆
（１２）サイドビーム
（１３）受支板（配線ダクト）
（１３ａ）起立片
（１４）梁杆
（１５）起立板
（１６）嵌合孔（脚杆支持部）
（１６ａ）凹入部
（１７）係合溝
（１７ａ）開口部
（１７ｂ）下部
（１８）係合凹溝
（１８ａ）傾斜面
（１９）下向き突条
（１９ａ）傾斜面
（２０）サイドカバー
（２１）エンドカバー
（２２）係合用脚杆
（２３）係合孔
（２４）水平杆
（２５）接床用脚杆
（２５ａ）張り出し部
（２６）天板
（２７）接床用脚杆
（２８）（２９）（３０）天板
（３１）接床用脚杆
（３２）拡径鍔部
（３３）水平杆
（３４）接床用脚杆
（３５）拡径フランジ
（３６）スリーブ
（３６ａ）スリーブ分割片
（３７）突部
（３８）筒体
（３８ａ）縮径段部
（３８ｂ）拡径鍔部
（３９）環状溝
（４０）環状突条
（４１）突部
（４２）凹部
（４３）支持ブロック
（４４）支持孔
（４５）突条
（４６）（４７）把持片
（４６ａ）傾斜面
（４８）軸
（４９）フック部
（５０）当接部
（５１）支持ブロック
（５２）支持孔
（５３）筒体
（５４）鍔部
（５５）頸部
（５６）係合板
（５７）リブ
【図１】
2004159714.tif 000003
【図２】
2004159714.tif 000004
【図３】
2004159714.tif 000005
【図４】
2004159714.tif 000006
【図５】
2004159714.tif 000007
【図６】
2004159714.tif 000008
【図７】
2004159714.tif 000009
【図８】
2004159714.tif 000010
【図９】
2004159714.tif 000011
【図１０】
2004159714.tif 000012